(57)【要約】【課題】  パウチ上方部にプラスチック製の線状ファスナーを内在させておき、該線状ファスナーの開閉により、簡単に水分等の補給が出来るようにした注出口付きパウチを提供する。【解決手段】  多角形状のプラスチックフィルムからなる胴材の周縁部をシールし、該周縁部の一部に内容物注出口を備えた注出口付きパウチであって、  該内容物注出口と離間したパウチ周縁部近傍には、フィルム状基材の一方の面に直線状の凸部が形成され、それと対向する面に上記凸部と係合する凹部が形成された開閉自在のプラスチック製の線状ファスナーが、パウチ内部空間を該内容物注出口が有る側と開封予定部側とに区画するように両端をパウチ周縁部に接続させて融着されており、かつ、該線状ファスナーの凸部および凹部は、弱化部を有するフィルムによって該内容物注出口の有るパウチ内部空間と液密に遮断されていることを特徴とする注出口付きパウチ。【選択図】  図１
2005206162.tif 000002
【特許請求の範囲】
【請求項１】
多角形状のプラスチックフィルムからなる胴材の周縁部をシールし、該周縁部の一部に
内容物注出口を備えた注出口付きパウチであって、
該内容物注出口と離間したパウチ周縁部近傍には、フィルム状基材の一方の面に直線状
の凸部が形成され、それと対向する面に上記凸部と係合する凹部が形成された開閉自在の
プラスチック製の線状ファスナーが、パウチ内部空間を該内容物注出口が有る側と開封予
定部側とに区画するように両端をパウチ周縁部に接続させて融着されており、かつ、該線
状ファスナーの凸部および凹部は、弱化部を有するフィルムによって該内容物注出口の有
るパウチ内部空間と液密に遮断されていることを特徴とする注出口付きパウチ。
【請求項２】
前記弱化部が、線状ファスナーの係合解除後に破断可能にされている請求項１記載の注
出口付きパウチ。
【請求項３】
前記弱化部を有するフィルムは、前記線状ファスナーの延設されたフィルム状基材であ
る請求項１または２記載の注出口付きパウチ。
【請求項４】
前記線状ファスナーのパウチ胴材への融着は、該線状ファスナーの両端以外では、直線
状の凸部および凹部に対して弱化部が有る側と反対側の前記フィルム状基材を凸部および
凹部に沿ってパウチ胴材と融着させたものである請求項３記載の注出口付きパウチ。
【請求項５】
前記内容物注出口は、パウチ胴材のプラスチックフィルムとは別部材の内容物注出具を
装着してなる請求項１ないし４のいずれか１項記載の注出口付きパウチ。
【請求項６】
前記注出口付きパウチの少なくとも内容物注出口を備えた側と反対側のパウチ周縁部に
吊り下げ手段が形成されてなる請求項１ないし５のいずれか１項記載の注出口付きパウチ
。
【請求項７】
前記パウチの胴体を構成するプラスチックフィルムは、少なくとも１個のバリヤ層を有
する積層フィルムである請求項１ないし６のいずれか１項記載の注出口付きパウチ。
【発明の詳細な説明】
【技術分野】
【０００１】
本発明は、たとえば経腸栄養剤や流動食等の投与容器、いわゆる流動食用パウチなどの
内容物注出口付きパウチに関するものであって、より詳しくは、該パウチ内の内容物を被
術者に投与した後の水分等の補給を行なう際に、該パウチに飲料水等を注入するための開
口部をスパウトのような別部材を用いることなく、上方縁部にプラスチック製の線状ファ
スナーを内在させておき、該線状ファスナーの開閉により、簡単に水分等の補給が出来る
ようにした注出口付きパウチに関する。
【背景技術】
【０００２】
【特許文献１】特開２０００−７０３３号公報
【特許文献２】特開２０００−６９９９号公報
【特許文献３】特開２０００−１５２９７５号公報
【０００３】
特許文献１は、図１３に示したように、内層にヒートシール性合成樹脂を有するフィル
ムの周縁部ｅをヒートシールし、包装袋の一辺に注出用部材ｂを装着し、その対向する辺
に蓋部材を有する注入用部材ｃを装着した経管経腸栄養剤用包装袋ａ、所謂流動食用パウ
チを開示している。周縁部ｅの上方ｅ１および下方ｅ２には、それぞれ流動食用パウチを
吊り下げるための穴（吊下手段）ｄが形成されており、下方の周縁部ｅ２に形成されてい
る穴ｄ２は、注出用部材ｂの注出口を切断開口して、内容物供給用のパイプを装着する際
に吊り下げ具（図示せず）に引掛けるためのものであり、流動食用パウチ内容物を被術者
に投与する際には、上方の周縁部ｅ１に形成されている穴ｄ１またはｄ３を吊り下げ具に
引っ掛けるようにするものである。
【０００４】
特許文献２も、特許文献１と同一目的の栄養剤用包装袋に係るものであり、その特徴と
するところは、図１４に示したように、可撓性を有するシート片により吊り下げ可能な流
動食用パウチａ本体の一方の縁部に被充填物を注入するための充填具ｃが設けられ、他方
の縁部に被充填物を注ぎ出すための注出具ｂが設けられ、しかも、充填具の注入口ｃが注
出具の注出口ｂよりも大きく形成されていることにある。さらに、この流動食用パウチに
おいては、一方の側縁部にをガセットｆとして内側に折り込まれることによって有底の流
動食用パウチとなし、もう一方の側縁部はガセットを形成することなくヒートシールされ
ている。これによって、流動食用パウチの輸送時に上記のガセット形成部を底部として載
置することが出来、安定した輸送が行なわれるようになっている。
【０００５】
特許文献３は、図１５に示したように、流動食用パウチａの下部が内容物注出口になる
ように構成されているもので、切り込み部ｇ２を利用して先端部近傍を引き裂いて注出口
ｂとするようになっている。
また、内容物注出後の水分補給に際しては、流動食用パウチ上方の切り込み部ｇ１を利
用して包装体の一部を切断し、その後のパウチの封止は、ジッパー式の開閉自在の封止部
ｈによって行なわれるようになっている。
【０００６】
上記特許文献１および２に開示された流動食用パウチは、パウチ内容物を投与した後の
水分等の補給のために手段として、いずれも、注出口よりも大きい別部材の注入口（充填
具）をわざわざ設けることが要件となっている。
【０００７】
また、特許文献３は、水分補給手段として、別体の充填具を用いることなく、パウチの
一部を引き裂いて開口を形成するという簡便さがあり、その部分の封止構造としてジッパ
ー式の封止具を用いている。
【発明の開示】
【発明が解決しようとする課題】
【０００８】
ところが、特許文献１、２のように、別部材のスパウトをパウチの一部に組み込むこと
は、製造工程が煩雑になるだけでなく、ワンウエイの流動食用パウチとしてはコスト的に
も高価になり不経済であること、さらには、パウチ使用後の廃棄に際しても、場合によっ
ては、そのままの廃棄が出来ないため、わざわざ分別して廃棄しなければならず、作業に
余計な時間が取られるという問題がある。
また、特許文献３のように、パウチの一部を引き裂いて、そこを開口とする手段も、簡
便であり、経済性にも優れているが、その後の封止に利用されるジッパー部分には、流動
食用パウチの内容物が常に接触しているために、この封止具を用いてパウチを再封止する
際には、封止具部分に異物が付着したり雑菌が侵入したりする虞があり、衛生上の観点か
ら好ましいものとは言えない。
【０００９】
かかる従来技術の現状に鑑みて、本発明の目的は、別部材のスパウトを使用することな
く、かつ、開封後の開口部をわざわざ封止具を用いて封止するような余計な手間をかける
ことなく、開口部の形成ならびに開口の封止を特定の封止具を用いることにより、異物や
雑菌の侵入を極力防止して清潔な状態で、飲料水等の補給ならびに再封が簡単に行なえる
流動食用パウチなどの注出口付きパウチを提供することにある。
【課題を解決するための手段】
【００１０】
本発明は上記目的を達成するために提案されたものであり、下記の要件からなることを
特徴とする。
すなわち、本発明によれば、
多角形状のプラスチックフィルムからなる胴材の周縁部をシールし、該周縁部の一部に
内容物注出口を備えた注出口付きパウチであって、
該内容物注出口と離間したパウチ周縁部近傍には、フィルム状基材の一方の面に直線状
の凸部が形成され、それと対向する面に上記凸部と係合する凹部が形成された開閉自在の
プラスチック製の線状ファスナーが、パウチ内部空間を該内容物注出口が有る側と開封予
定部側とに区画するように両端をパウチ周縁部に接続させて融着されており、かつ、該線
状ファスナーの凸部および凹部は、弱化部を有するフィルムによって該内容物注出口の有
るパウチ内部空間と液密に遮断されていることを特徴とする注出口付きパウチが提供され
る。
【００１１】
また、本発明によれば、前記弱化部が、線状ファスナーの係合解除後に破断可能にされ
ている上記注出口付きパウチが提供される。
【００１２】
また、本発明によれば、前記弱化部を有するフィルムは、前記線状ファスナーの延設さ
れたフィルム状基材である上記注出口付きパウチが提供される。
【００１３】
また、本発明によれば、前記線状ファスナーのパウチ胴材への融着は、該線状ファスナ
ーの両端以外では、直線状の凸部および凹部に対して弱化部が有る側と反対側の前記フィ
ルム状基材を凸部および凹部に沿ってパウチ胴材と融着させたものである上記注出口付き
パウチが提供される。
【００１４】
また、本発明によれば、前記内容物注出口は、パウチ胴材のプラスチックフィルムとは
別部材の内容物注出具を装着してなる上記注出口付きパウチが提供される。
【００１５】
また、本発明によれば、前記注出口付きパウチの少なくとも内容物注出口を備えた側と
反対側のパウチ周縁部に吊り下げ手段が形成されてなる上記注出口付きパウチが提供され
る。
【００１６】
また、本発明によれば、前記パウチの胴体を構成するプラスチックフィルムは、少なく
とも１個のバリヤ層を有する積層フィルムである上記注出口付きパウチが提供される。
【発明の効果】
【００１７】
本発明によれば、流動食用パウチなどの注出口付きパウチにおいて、内容物の希釈や、
内容物投与後の水分補給、さらには、パウチの使用後の留置ラインの洗浄を行なうための
水の注入口として、内容物注出口と離間した箇所に、特定のプラスチック製線状ファスナ
ーを付設することにより、従来技術のように、わざわざ、パウチに硬質の別部材の充填具
を装着することなく、簡単な構成で十分に目的を達成し得る流動食用パウチなどの注出口
付きパウチが提供され、この注出口付きパウチは、ワンウエイ容器として提供し得るだけ
のコスト的メリットと、使用後の廃棄に際して、ことさらに充填具を分別する手間を省く
ことができる点や、さらに開封前の注入口と内容物の接触を防いで開封後の注入口を清潔
に保つという衛生上の点で従来の流動食用パウチに比べて優れている。
【発明を実施するための最良の形態】
【００１８】
以下に、図面を参照して本発明の最良の実施の形態を説明する。
図１は本発明の注出口付きパウチ１の一実施態様を示す説明図であり、図２ないし図８
は注出口付きパウチの他の実施態様を示す説明図である。図９は本発明の流動食用パウチ
におけるプラスチック製の線状ファスナーの断面構造の拡大図であり、図１０はその平面
図である。図１１は線状ファスナーと弱化部を有するフィルムを別部材で構成する形態を
断面図で示す模式図であり、図１２は線状ファスナーとパウチ内面との異なる融着状態を
（ａ），（ｂ）の断面図で示す模式図である。
【００１９】
本発明の注出口付きパウチ１は、大まかにいって、通常、複数の多角形状のプラスチッ
クフィルムからなる胴材の周縁部１３をシールし、該周縁部の一部に注出口１０を備えた
内容物注出具１１が装着されているとともに、該内容物注出具１１と離間したパウチ周縁
部の近傍内側に、プラスチック製の線状ファスナー２が融着されているものであり、この
線状ファスナー２とシール部１３との間に開封予定部１５が設けられている。開封予定部
１５は、線状ファスナー２を利用する段階になってからハサミみやナイフなどの切断具を
用いて開封される部分であり、切断具を用いなくても手指で開封出来るように当該部分を
例えばスコアなどを設けた弱化部として形成したり、開封開始部にノッチなどの切込みを
入れておいてもよい。なお、パウチ周縁部のシールは、ヒートシールが好ましいが、超音
波シールで行なっても構わない。
【００２０】
注出口付きパウチの形状は、特に限定されるものではないが、通常、前述した各特許文
献や本願明細書の図１ないし図８に記載したように、四角形を基本とした変則的な多角形
状に形成されることが多い。なお、多角形状の角部は厳密に角部を有している必要はなく
、直線と直線を曲線で結んだ形状であってもよい。全体的に見て大略多角形状であればよ
い。注出口付きパウチ１の胴体を構成するプラスチックフィルムは、内容物の投与状況を
外から確認することができるようにするために透明であることが好ましく、フィルム単体
でもよいが、通常、２層以上の複合フィルムが用いられる。
【００２１】
このプラスチックフィルムは、周縁部をシールするものであるため、これをヒートシー
ルで行なう場合には、複合フィルムの場合であっても、内層はヒートシール可能なプラス
チックから構成されていることが必要であり、通常、ヒートシール層（内層）／バリヤ層
（中間層）／表面層（外層）や、ヒートシール層（内層）／基材層（中間層）／バリヤ層
（中間層）／表面層（外層）からなる積層フィルムを用いることが好ましく、中でも、内
層がポリプロピレン、中間層がナイロン、外層が内層側にバリア層としての酸化アルミニ
ウムや無機ケイ素などの薄膜を蒸着したポリエチレンテレフタレートからなる積層フィル
ムを用いることがガスバリア性、突刺し耐性ならびに透明性に優れていて好ましい。
【００２２】
この場合、中間層は、内容物の変質や腐敗等を防止するためのバリア層としての機能を
有するものであり、ナイロンや蒸着層以外にも、エチレン−ビニルアルコール共重合樹脂
フィルム（ＥＶＯＨ）等が用いられる。内層としては、ポリプロピレン以外にもポリエチ
レンなどが用いられ、外層としては、ポリエチレンテレフタレート以外にもナイロン等が
用いられる。                                                                    
【００２３】
本発明の注出口付きパウチ１における内容物注出具１１は、ポリプロピレン樹脂など耐
レトルト適性を有する一般に硬質のプラスチックから成形されたスパウトと呼ばれるもの
や、前述した各特許文献にも記載されている自体公知の注出具がいずれも使用できる。こ
の注出具は、流動食用パウチの胴体を構成するプラスチックフィルムの周縁部において、
プラスチックフィルムの内層間に融着された状態で装着されるものであるから、注出具の
素材はパウチを構成するフィルム内層と融着可能なものでなければならないが、その先端
部の形状はパイプへの挿入が容易なようにテーパー状にしてもよいし、パイプが抜けにく
くするために、先端部外周に凹凸形状を形成するなどの適宜任意に工夫が成されていても
よい。なお、本発明の注出口付きパウチの注出口は、注出ノズルを備えた別部材の内容物
注出具をパウチ胴材に装着して形成するのが、経管の取り付けなどの注出作業がし易く好
ましいが、別部材の内容物注出具を装着せずにパウチ胴材をノズル状に形成して注出口と
した構成のものでも構わない。
【００２４】
本発明のプラスチック製の線状ファスナー２は、図９、１０に示したように、対向する
２枚のフィルム状基材２２，２２に付設され、一方の面に長手方向に直線状の凸部２１ｂ
が形成され、それと対向する面に上記凸部と係合する凹部２１ａが形成された構成からな
るもので、この線状ファスナー自体は、開封後の食品包装袋の再封用に用いられる「ジッ
プロック」（登録商標）などとして知られている。本発明においては、該線状ファスナー
２の凸部２１ｂおよび凹部２１ａが、弱化部２３を有するフィルムによって、内容物注出
口１０のあるパウチ内部空間２４と液密に遮断されていることが重要である。そして、上
記弱化部を有するフィルムは、図１１に示したように、該線状ファスナー２とは別部材の
フィルム２２’で構成してもよいが、該線状ファスナー２のフィルム状基材２２であるこ
とが、部材数が少なく好ましい。その場合、該線状ファスナー２の凸部２１ｂと凹部２１
ａを付設する２枚のフィルム状基材２２のパウチ内方側（開封予定部側と反対側）を延設
して弱化部２３を介してフィルム状基材２２が互いに連接していることが重要である。
【００２５】
この構成において、線状ファスナーのフィルム状基材２２のパウチ内方側に延設された
部分が弱化部２３を介して連接されていることによって、パウチ内容物は該フィルム状基
材２２の凸部および凹部の形成された面と反対側の面に接するだけで、線状ファスナー２
の凸部と凹部、すなわち係合部自体にはパウチ内容物が接することはない。したがって、
線状ファスナー２の係合部やその周辺にはパウチ内容物が付着することはなく、例えば流
動食用パウチにおいて投与後に線状ファスナーの外側の開封予定部１５を開封し、線状フ
ァスナー２部分が外気と接触しても、その部分に内容物が付着したことに付随して異物や
雑菌が侵入する事態を未然に防止出来、清潔な状態で、開封した線状ファスナーの部分か
らの加水等を実施することができる。
【００２６】
線状ファスナーの弱化部は、パウチ内に内容物が入っている時は破断することなく、線
状ファスナーの開封後に引き続いて破断される程度の連接状態を保持していればよく、当
該部分を薄肉にしたり、スコアを形成するなどの手段によって容易に形成することができ
る。線状ファスナーは、パウチ内面への熱接着性ならびに内容物殺菌時の耐レトルト適性
を有する必要があり、ポリプロピレン樹脂等を用いて押し出し成形などで成形される。弱
化部はその際、例えば、フィルム状基材の他の部分より薄肉に押し出すことで構成するこ
とができる。また熱接着性を高める等の目的でファスナーの凹凸形成面側とシール面側と
で異なる樹脂を用いた２層以上の多層構造としてもよい。
【００２７】
線状ファスナー２のパウチ胴材への融着は、線状ファスナーのフィルム状基材２２とパ
ウチ内面の胴材フィルムとを熱や超音波で融着して行なう。パウチ内部空間を区画して内
容物とファスナーの係合部とが接触しないようにするため、線状ファスナーの両端部はシ
ールされている必要がある。好ましくは両端部が、パウチ周縁部のシール部に接続してシ
ールされているのが良い。パウチ胴体とフィルム状基材の融着の形態の例を図１２（ａ）
（ｂ）に模式的に示した。また、直線状の凸部および凹部に沿っての融着は、図１２（ａ
）に示したように、弱化部と最も近い融着部と、凸部および凹部との間のフィルム長さを
それぞれａ，ａ’、弱化部２３との間の長さをそれぞれｂ，ｂ’、凸部と凹部を係合した
時の高さをｈとした時、
ａ＋ａ’＋ｈ＜ｂ＋ｂ’
の関係に有るようにするのが、線状ファスナーの係合解除後に弱化部が破断するようにす
る上で好適である。
【００２８】
パウチ胴体とフィルム状基材の融着は、図１２（ａ）に示したように、凸部および凹部
よりも弱化部側では行なわない形態と、図１２（ｂ）に示したように、凸部および凹部の
両サイドのフィルム状基材をパウチ胴体と融着させる形態があるが、好ましくは、図１２
（ａ）に示すように、線状ファスナーの両端以外では、直線状の凸部および凹部に対して
弱化部が有る側と反対側の前記フィルム状基材を凸部および凹部に沿ってパウチ胴体と融
着させ、凸部や凹部より弱化部側のフィルム状基材部分はパウチ胴材フィルムと融着させ
ないのが融着作業もやりやすく、好ましい。
【００２９】
線状ファスナーのパウチ外端側は、開封可能な状態でパウチ周縁部内にシールされてい
てもよいが、線状ファスナーの外端部もパウチ内側に位置させてパウチ胴材で覆った状態
でパウチ外端を他のパウチ周縁と同様に通常にシールするのが好ましい。その場合、線状
ファスナーとその外端側のパウチ周縁シール部との間に開封用のスコア等を形成しておい
てもよい。また、内容物注出具１１が装着される位置は特に限定されるものではないが、
通常、図１に示したようにパウチの下方周縁か、図２に示したように、パウチのいずれか
のコーナ部が好ましい。
【００３０】
内容物注出具１１と線状ファスナーは互いに離間していればよく、その形成箇所は、特
に限定されるものではないが、注出具１１を下にしてパウチを吊り下げた場合に、パウチ
の中位の高さより上方になる位置にファスナーが位置するのが、開口からの注水などがや
りやすく好ましい。本発明の流動食用パウチは、一般に、例えばフック状の吊下げ具（図
示せず）に吊るして使用されるものであり、その際には、パウチの少なくとも内容物注出
具が装着されている側とは反対側に吊下げ手段１４が形成されていることが必要である。
【００３１】
吊下げ手段１４としては、周縁部（シール部）１３の所定の箇所に穴を開けることが最
も一般的であるが、完全な穴ではなく、吊下げ具が入る程度の切込みであってもよい。吊
り下げ手段１４は、内容物注出具１１の付設箇所と対向するパウチのシール部に設けられ
ていることが一般的であるが、この吊り下げ手段は、注出口付きパウチの内容物注出時だ
けに用いられるものではなく、例えば、図１のような構成において、内容物注出具が付設
されている側に形成（図示せず）しておくことによって、例えば流動食用パウチの投与前
の準備の際に内容物注出具にパイプを接続するなどの作業時に利用することも出来る。
【００３２】
図３ないし図８に示したパウチの構成は、本発明の他の態様を示すものであり、図３の
態様は、吊り下げ手段１４が形成されているシール部と、線状ファスナーが内封されてい
る部分を、切り込み１６によって分離し、線状ファスナー２部分の開封作業を吊り下げ手
段１４と夫々独立して出来るように考慮されている。また、内容物注出具１１には、キャ
ップ１１’を被せておくことも出来、パウチの取扱をより衛生的に行なうことが出来る。
【００３３】
図４および図５の態様は、開封予定部１５を、吊り下げ手段１４が形成されているシー
ル部よりも外方に突出させた状態で形成したものであり、吊り下げ手段１４が形成されて
いるシール部は、対向する下方コーナー部を斜めに切り欠いた状態のヒートシール部に付
設された内容物注出具１１と、夫々対向しており、吊り下げた状態のパウチのバランスが
良いという特徴がある。また、内容物注出具１１が付設されているシール部が斜めに切り
欠いた状態にされていることにより、内容物注出具１１がパウチのコーナーからはみ出さ
ないため、包装時に効率的な積み重ねが出来、包装箱に余分な空所を形成しないで済むと
いうメリットがある。
【００３４】
図６の態様は図３の態様の変形であって、切り込み１６幅を広く取り、開封予定部１５
の内方端部を凸部としてこの部分をフラップ１７としたものである。なお、フラップ１７
の先端中央部分を開封予定部１５と一致させ、その部分を図示したように例えばε字状１
７ａに形成してもよい。これによって、線状ファスナー２部の開封作業がより安定してな
されるというメリットがある。また開口予定部１５をはさみ等で切り取った後もフラップ
１７ａが切り取られずに残るので、加水時にパウチ注入口を掴み持ち上げる際にフラップ
１７ａに指をかけることにより、パウチが滑り落ちにくく掴みやすい。
図７および図８の態様は、本発明の注出口付きパウチをスタンディングパウチとして利
用出来るようにしたものであり、内容物注出具１１が付設されている側と反対側の側面を
有底部１８とすることにより、使用前のパウチを安定状態で載置しておくことが出来る。
【００３５】
本発明の注出口付きパウチは、内容物注出具の付設にしても、線状ファスナーの付設に
しても、通常のパウチの製造設備をそのまま利用でき、線状ファスナーはフィルム状基材
部をパウチ内面に熱融着などで付設することができ、さらにパウチ周縁のシール部は例え
ば内容物注出具ならびに線状ファスナーの形状に対応したシールバーを用いて周縁部をヒ
ートシールして成形することができる。
【産業上の利用可能性】
【００３６】
以上詳述したように、本発明の注出口付きパウチは、例えば流動食用パウチなどにおい
て内容物投与後の水分等の補給に際して、別体の注入具を付設することなく、特定の線状
ファスナーを用いるだけで、清潔に水分補給が出来、コスト的に安価なばかりでなく、成
形工程が簡略化され、廃棄時の充填具の分別もことさらに必要がないなどの特徴があり、
ワンウエイの注出口付きパウチとして、広く利用が見込まれる。
【図面の簡単な説明】
【００３７】
【図１】本発明の注出口付きパウチの好適な構成を示す正面図である。
【図２】本発明の注出口付きパウチの他の一例を示す正面図である。
【図３】本発明の注出口付きパウチの他の一例を示す正面図である。
【図４】本発明の注出口付きパウチの他の一例を示す正面図である。
【図５】本発明の注出口付きパウチの他の一例を示す正面図である。
【図６】本発明の注出口付きパウチの他の一例を示す正面図である。
【図７】本発明の注出口付きパウチの他の一例を示す正面図である。
【図８】本発明の注出口付きパウチの他の一例を示す正面図である。
【図９】本発明の注出口付きパウチに用いる線状ファスナーの拡大断面図である。
【図１０】同じく線状ファスナーの開いた状態の平面図である。
【図１１】本発明の注出口付きパウチに用いる線状ファスナーと弱化部を別部材で構成した部分断面図である。
【図１２】本発明の注出口付きパウチに用いる線状ファスナーとパウチ胴体との融着の異なる形態を示す部分断面図である。
【図１３】特許文献１に示された従来の流動食用パウチの斜視図である。
【図１４】特許文献２に示された従来の流動食用パウチの斜視図である。
【図１５】特許文献３に示された従来の流動食用パウチの斜視図である。
【符号の説明】
【００３８】
１              注出口付きパウチ
１０              注出口
１１              内容物注出具
１１’            注出具キャップ                                              
１２              内容物注出具のシール部
１３              パウチ周縁部（シール部）
１４              吊下げ手段
１５              開封予定部
１６              切り込み
１７              フラップ
１８              有底部
２              線状ファスナー
２１              線状ファスナーの係合部
２１ａ            線状ファスナーの凹部                                        
２１ｂ            線状ファスナーの凸部                                        
２２              線状ファスナーのフィルム状基材
２２’            弱化部を有するフィルム
２３              弱化部                                                      
２４              内容物注出口の有る側のパウチ内部空間
２５              開封予定部側のパウチ内部空間
ａ              流動食用パウチ
ｂ              内容物注出具                                                
ｃ              注入用部材                                                  
ｄ〜ｄ３        穴                                                          
ｅ〜ｅ２        パウチ周縁部                                                
ｆ              ガセット
ｇ１，ｇ２      切り込み部                                                  
ｈ              ジッパー式封止部                                            
【図１】
2005206162.tif 000003
【図２】
2005206162.tif 000004
【図３】
2005206162.tif 000005
【図４】
2005206162.tif 000006
【図５】
2005206162.tif 000007
【図６】
2005206162.tif 000008
【図７】
2005206162.tif 000009
【図８】
2005206162.tif 000010
【図９】
2005206162.tif 000011
【図１０】
2005206162.tif 000012
【図１１】
2005206162.tif 000013
【図１２】
2005206162.tif 000014
【図１３】
2005206162.tif 000015
【図１４】
2005206162.tif 000016
【図１５】
2005206162.tif 000017